(57)【要約】  【課題】排紙される記録シートの垂れを遅らせるために該記録シートを持ち上げる排紙サポートを備えた記録装置において、記録シートが排紙ローラに残ることなく、排紙精度の低下を生じることなしに、安定した排紙性能を維持することができる排紙サポート付きの記録装置を提供する。  【解決手段】排紙される記録シートＰを支持する排紙サポート１２を、記録シートを排出する方向へ移動することで該記録シートの後端Ｐｂを排出方向へ押し出す形状にし、記録シートＰの押し出しシーケンスを１枚の記録シートの記録動作の最後に行う。【選択図】                図３
2006117353.tif 000002
【特許請求の範囲】
【請求項１】
排紙される記録シートの垂れを遅らせるために該記録シートを持ち上げる排紙サポートを備えた記録装置において、
前記排紙サポートは、排出方向へ移動することで前記記録シートを排出方向へ押し出す形状を有することを特徴とする記録装置。
【請求項２】
前記排紙サポートにより前記記録シートを押し出す動作は、１枚の記録シートを記録する間の最後のシーケンスであることを特徴とする請求項１に記載の記録装置。
【請求項３】
前記排紙サポートにより前記記録シートを押し出す動作は、該記録シートの後端を押す動作であることを特徴とする請求項１又は２に記載の記録装置。
【請求項４】
記録シートの後端を押し出す形状は、記録シートの搬送方向に対して、前記排紙サポートの先端部に設けられていることを特徴とする請求項１〜３のいずれか１項に記載の記録装置。
【請求項５】
排紙される記録シートの垂れを遅らせるために該記録シートを持ち上げる排紙サポートを備えた記録装置において、
前記排紙サポートは排出方向へ移動可能な案内部材に対して回動可能に支持され、前記案内部材の動きの中で、前記排紙サポートが記録シートを持ち上げるとともに、該案内部材に設けられた押し出し部によって記録シートを排出方向へ押し出すことを特徴とする記録装置。
【請求項６】
前記案内部材の押し出し部は搬送方向において前記排紙サポートより前に位置し、排紙シーケンスの際に、記録シートが前記排紙サポートにより持ち上げられる前に、前記押し出し部が記録シートに当接することを特徴とする請求項５に記載の記録装置。
【請求項７】
前記押し出し部により前記記録シートを押し出す動作は、１枚の記録シートを記録する間の最後のシーケンスであることを特徴とする請求項５又は６に記載の記録装置。
【請求項８】
前記排紙サポートにより前記記録シートを押し出す動作は、該記録シートの後端を押す動作であることを特徴とする請求項５〜７のいずれか１項に記載の記録装置。
【請求項９】
前記押し出し部は前記案内部材の先端部に設けられていることを特徴とする請求項５〜８のいずれか１項に記載の記録装置。
【請求項１０】
記録シートを押し出す動作を実行するか否かを、該記録シートの種類に応じて判断することを特徴とする請求項１〜９のいずれか１項に記載の記録装置。
【請求項１１】
記録装置は、記録ヘッドから記録シートへインクを吐出して記録を行うインクジェット記録装置であることを特徴とする請求項１〜１０のいずれか１項に記載の記録装置。
【請求項１２】
記録シートに記録を行う記録手段と、前記記録手段によって記録が行われた記録シートを排出する排出手段と、装置内に収納された位置から排出方向に移動して排出される記録シートを支持する移動可能な排紙サポートと、前記排紙サポートを本体に収納された位置から排出方向に移動させる移動手段と、
記録シートが前記排出手段によって排出されているときには前記排紙サポートを排出方向に移動させて記録シートを支持させ、前記排出手段を通過した記録シートの後端を前記排紙サポートに設けられ記録シートに当接する押し出し部によって排出方向に押し出すために、前記排紙サポートを排出方向に移動させるように、前記移動手段を制御する制御手段と、
を具備することを特徴とする記録装置。
【発明の詳細な説明】
【技術分野】
【０００１】
本発明は、排紙される記録シートの垂れを遅らせるために該記録シートを持ち上げる排紙サポートを備えた記録装置に関する。
【背景技術】
【０００２】
プリンタ、ファクシミリ、複写機、あるいは各種情報処理システムの出力装置として、記録情報を基づいて画像を記録する記録装置が使用されている。この記録装置は、記録ヘッドの記録方式により、例えば、インクジェット記録装置、熱転写記録装置、感熱記録装置、ワイヤドット記録装置、レーザービーム記録装置などに分けることができる。このような記録装置には、排紙ローラにより排出される記録シートの垂れを抑制する（又は持ち上げる）ことで排紙トレイ上の記録シートに接触するまでの時間もしくは接触位置を調整するための排紙サポート機構とを備えたものがある。この排紙サポート機構は、特に、インクを付着させて画像を記録するインクジェット記録装置において有用なものである。
【０００３】
すなわち、記録装置においては、近年記録速度が速くなり、排出されて排紙トレイに残されている記録シートのインクが乾く前に次の記録シートが排出されることがあり、そのために前の記録シートの画像インクが後の記録シートで擦られて画像が乱されるという不都合が生じる可能性があった。その対策として、排出される記録シートが垂れ落ちる時期を遅らせるために、該記録シートを支持部材（排紙サポート）で持ち上げることで、、排紙時のインクの擦れを防ぐことが行われている。このような排紙サポートを備えた記録装置は、特開２００３−２５６６６（特許文献１）に開示されている。
【特許文献１】特開２００３−２５６６６
【発明の開示】
【発明が解決しようとする課題】
【０００４】
しかしながら、従来の排紙サポート機構では、排紙時の記録シートの搬送負荷が大きい場合に、記録シートの後端が排紙ローラに載ったままとなり、排紙が困難になるという不都合があった。図１０は従来の記録装置の排紙機構の一例を示す模式的縦断面図であり、図１１は従来の記録装置の排紙機構の別の例を示す模式的縦断面図である。図１０は記録シートＰが排紙ローラ８と拍車９のニップ部（挟圧部）をほぼ通過した状態を示している。排紙される記録シートＰには、排紙トレイ１１との接触負荷や排紙トレイ１１上に積載される記録シートＰの間の接触負荷による排紙負荷（排紙抵抗）が作用する。特にインクを付着させる、例えばインクジェット記録装置では、付着するインク量が多いと記録シートが膨潤し、記録シートが変形して排紙負荷が増えてしまう。すると、図１０に示すように、排紙ローラ８と拍車９とのニップ部を超えた状態で搬送力を失い、搬送力の勢いだけでは記録シートを搬送できなくなり、記録シートＰが排紙ローラ８上に残される場合がある。
【０００５】
そこで、図１１に示すように、排紙ローラ８に段差８ｂを設け、段差８ｂにより記録シートＰの後端Ｐｂａを押し出すことによって記録シートの残留を防止することが提案されている。しかし、このような方法では、段差８ｂのために排紙ローラ８の送り精度が低下するという不都合を伴う。本発明はこのような技術的課題に鑑みてなされたものであり、本発明の目的は、記録シートが排紙ローラに残ることなく、排紙精度の低下を生じることなしに、安定した排紙性能を維持することができる排紙サポート付きの記録装置を提供することである。
【課題を解決するための手段】
【０００６】
本発明は、上記目的を達成するため、排紙される記録シートの垂れを遅らせるために該記録シートを持ち上げる排紙サポートを備えた記録装置において、前記排紙サポートは、排出方向へ移動することで前記記録シートを排出方向へ押し出す形状を有することを特徴とする。
【０００７】
別の本発明は、上記目的を達成するため、排紙される記録シートの垂れを遅らせるために該記録シートを持ち上げる排紙サポートを備えた記録装置において、前記排紙サポートは排出方向へ移動可能な案内部材に対して回動可能に支持され、前記案内部材の動きの中で、前記排紙サポートが記録シートを持ち上げるとともに、該案内部材に設けられた押し出し部によって記録シートを排出方向へ押し出すことを特徴とする。
【０００８】
さらに別の本発明による記録装置は、上記目的を達成するため、記録シートに記録を行う記録手段と、前記記録手段によって記録が行われた記録シートを排出する排出手段と、装置内に収納された位置から排出方向に移動して排出される記録シートを支持する移動可能な排紙サポートと、前記排紙サポートを本体に収納された位置から排出方向に移動させる移動手段と、記録シートが前記排出手段によって排出されているときには前記排紙サポートを排出方向に移動させて記録シートを支持させ、前記排出手段を通過した記録シートの後端を前記排紙サポートに設けられ記録シートに当接する押し出し部によって排出方向に押し出すために、前記排紙サポートを排出方向に移動させるように、前記移動手段を制御する制御手段と、を具備することを特徴とする。
【発明の効果】
【０００９】
本発明によれば、排紙ローラに記録シートが残ることなく、排紙精度の低下を生じることなしに、安定した排紙性能を維持できる排紙サポート付きの記録装置が提供される。
【発明を実施するための最良の形態】
【００１０】
以下、図面を参照して本発明の実施形態を具体的に説明する。なお、各図面を通して同一符号は同一又は対応部分を示すものである。
図１は本発明を適用した記録装置の一例を示す模式的斜視図であり、図２は図１の記録装置の中央部縦断面図である。図１及び図２において、記録装置１００は、記録紙等の記録シートＰを装置内部へ給送するための給紙部１１０と、給送された記録シートＰを装置内部を通して搬送する搬送部１２０と、搬送されてくる記録シートＰに対して記録情報に基づいて画像を記録する記録部１３０と、記録された記録シートＰを装置本体外へ排出する排出部１４０とを備えている。矢印Ｂは排出方向を示す。
【００１１】
給紙部１１０においては、圧板１１１上に積載された複数の記録シートＰのうちから、最上層の１枚を給紙ローラ１１２により分離して給送するように構成されている。搬送部１２０は、給送された記録シートＰを記録部１３０を通して搬送する搬送ローラ４及びピンチローラ５からなる搬送ローラ対と、記録部１３０を通して搬送される記録シートＰを案内支持するプラテン６とを備えている。搬送ローラ対４、５はプラテン６の搬送方向上流側に配設されている。記録部１３０は、画像情報を基づいて記録シートＰに記録していく記録手段である記録ヘッド５２と、該記録ヘッド５２を搭載してガイドシャフト５４及びガイドレール１３１に沿って往復移動するキャリッジ５３とを備えている。
【００１２】
排出部１４０は、排紙ローラ８及び拍車９からなる排出手段としての排紙ローラ対と、排紙トレイ１１と、排紙サポート機構１４１とを備えている。前記排紙ローラ対の駆動ローラである排紙ローラ８は、プラテン６の搬送方向下流側に配設されており、搬送ローラ４の回転により伝達ローラ１２１を介して回転駆動される。前記排紙トレイ１１は、排紙ローラ対８、９を通して排出された記録シートＰを積載保持するためのものである。また、前記排紙サポート機構１４１は、排紙ローラ８から排出される記録シートＰの垂れを抑制する（又は持ち上げる）ことにより、排出される記録シートＰが排紙トレイ１１上の記録シートに接触するまでの時間を確保したり、接触する位置を排紙トレイ１１上の記録シートの先端部に調整したりするものであり、排出される記録シートＰが排紙トレイ１１上の記録シートの定着不十分な記録画像を擦ることによる画像乱れを防止するものである。このような排紙サポート機構は、本願と同一出願人による特願２００２−９９９９８（特開２００３−２５６６６）に開示されている。
【００１３】
排紙サポート機構１４１は、特開２００３−２５６６６にも記載されているように、移動手段であるモータにより駆動されるピニオン・ラック機構によって駆動されることで直線運動する案内部材１４２と該案内部材上に回動可能に支持された排紙サポート１２とを備えた構成にしても良く、あるいは、前記案内部材を設けずに、モータの駆動をピニオン・ラック機構を介して排紙サポートに伝達することにより、該排紙サポートを直線運動及び回動運動させるように構成しても良い。前記排紙サポート１２は、プラテン６の下側の収納位置と図２に示すような突出位置との間で移動及び回動可能であり、その動きのタイミングは、例えば、記録ヘッド５２による記録開始前に突出させ、記録終了後の排紙動作と同時に退避するように制御手段によって制御される。なお、排紙サポート１２の突出タイミングは、記録画像又は記録動作に影響しない場合は、記録動作中に突出させても良い。
【００１４】
図３は排紙サポート機構１４１の具体的構造を示す模式的縦断面図である。図３は排紙サポート１２がプラテン６から突出し記録シートＰを支持している状態を示す。案内部材１４２は、装置本体に対し、プラテン６の下側の収納位置と図示の突出位置との間で直線移動（スライド）可能に支持されている。案内部材１４２の下面には長さ方向に沿ってラックギア１５１が形成されており、案内部材１４２の下方にはラックギア１５１と噛み合うピニオンギア１５２を有する駆動軸１５３が軸支されている。こうして、駆動軸１５３の駆動を制御することにより案内部材１４２の突出収納方向の位置を制御することができる。
【００１５】
案内部材１４２上に設けられた支軸１５４には、排紙サポート１２が揺動可能に軸支されている。この排紙サポート１２は、突出位置で記録シートＰを持ち上げる支持部１５５と、装置本体側に設けられたカム１５６に当接するカム当接部１５７を有する。なお、図３の構成では、排紙ローラ８と拍車９から成る排紙ローラ対が搬送方向の２箇所に配設され、これらの排紙ローラ対の間に前記カム１５６が配置されている。ただし、場合によっては、排紙ローラ対８、９は１箇所のみに配置する構成でも良い。
【００１６】
以上の図３の構成によれば、駆動軸１５３によりピニオンギア１５２が図示時計方向に回転すると、案内部材１４２が図示右方向へ移動しプラテン６の下側に収納される。これと同期して、排紙サポート１２は、カム１５６とカム当接部１５７のカム動作により、案内部材１４２上の支軸１５４を中心に図示の反時計回りに回動され、支持部１５５が下降した退避位置になる。一方、駆動軸１５３によりピニオンギア１５２が図示の反時計方向に回転すると、案内部材１４２が図示左方向へ移動し図３に示すような突出位置になる。これと同期して、排紙サポート１２は、カム１５６とカム当接部１５７のカム動作により、案内部材１４２上の支軸１５４を中心に図示の時計回りに回動され、支持部１５５が上昇して記録シートＰを支持する状態になる。つまり、排紙サポート１２は、排紙トレイ１１の方向へ突出するとともに上昇することで、排紙ローラ対８、９から排出される記録シートＰを支持し、該記録シートＰの垂れを抑制するように動作する。
【００１７】
図４は本発明による記録装置の排紙サポート機構１２１の第１の実施形態を示す模式的縦断面図であり、図５は図４の排紙サポート機構の模式的斜視図である。図４及び図５において、プラテン６の支持面に沿って矢印Ｂ方向に搬送される記録シートＰに対し、プラテン６の上方に配置された記録ヘッド５２により記録が行われる。本実施形態は記録装置がインクジェット記録装置である場合を示し、記録情報に基づいて記録ヘッド５２を駆動することで、該記録ヘッド５２に形成された複数の吐出口から選択的にインクを吐出することにより所定の画像が記録される。また、本実施形態はシリアル記録装置の場合を示し、記録ヘッド５２はガイドシャフト５４に沿って記録シートＰの幅方向に往復移動可能なキャリッジ５３に搭載されている。そして、キャリッジ５３の移動に同期して記録ヘッド５２から吐出されるインク滴によって画像が形成される。
【００１８】
次に、上記排紙サポート１２の動作について説明する。図４において、１２は排紙サポートである。記録シートＰが排紙ローラ８により搬送される頃を見計らって、排紙サポート１２は不図示のモータの駆動によって搬送方向にほぼ沿った矢印＋Ｃ方向に押し出される。この際、記録シートＰが排紙サポート１２のサポート面１３上に載せられた状態で排紙動作が続けられる。その場合、記録シートＰはその幅方向にＵ字状に保持されて排紙される。そして、排紙される記録シートＰが排紙サポート１２に載せられた状態で排紙されることで、排紙される記録シートＰが排紙トレイ１１上に着地するでの時間を稼ぐことができ、それにより、排紙トレイ１１上の記録シートＰの画像が定着する前に後続の記録シートが擦れることで画像が汚損される現象が防止されている。
【００１９】
記録終了後記録シートＰの排紙シーケンスが開始されると同時に、排紙サポート１２は、記録装置の内部に向かう−Ｃ方向に移動させられ、装置本体内の排紙ローラ８より内側に収納される。排紙ローラ８による排紙が行われ、記録シートＰが排紙ローラ８から排紙トレイ１１上に落ちることで、対象となる記録シートＰの排紙動作が終了する。ここで、上述したように記録シートＰの後端部が排紙ローラ８上に残ってしまい、記録シートＰが排紙トレイ１１上に完全に排紙されにくくなる場合がある。そこで、排紙サポート１２を再び＋Ｃ方向に押し出すことによって、記録シートＰの後端Ｐｂに当たる位置に形成されている突起状の押し出し部１４が記録シート後端Ｐｂに突き当たる。この状態で、排紙サポート１２を更に＋Ｃ方向に移動させて記録シートＰの後端Ｐｂを排紙ローラ８から＋Ｃ方向に移動させた時点で、素早く排紙サポート１２を−Ｃ方向に引き込むことによって記録シートＰを容易に排紙トレイ１１に落とし込むことができる。
【００２０】
図５は排紙サポート１２の押し出し部１４によって記録シートＰの後端Ｐｂを押し出した状態を示す。また、図５はＡ３用記録装置でＡ４サイズの記録を行っている状態を示しし、図５中の左側の押し出し部１４は、Ａ３サイズ用の押し出し部であり、図示のＡ４サイズの記録シートＰの場合は機能していない。以上説明した排紙サポート１２を備えた記録装置の排紙動作においては、排紙サポート１２はその動きの中で記録シートＰを押し出す形状を備えており、排紙サポート１２による記録シート押し出しの動作シーケンスは記録シート１枚を記録する動作の最後であり、かつ排紙サポート１２によって押し出すのは記録シート１２後端であるように構成されている。
【００２１】
そして、記録シートＰの記録動作シーケンスの最後に排紙サポート１２によって該記録シートＰの後端を押し出すことによって、排紙ローラ８に記録シートＰが残ることなく、安定した動作で排紙することが可能になった。なお、本実施形態においては、排紙ローラ８の近傍に記録シート検出スイッチを設けて、記録シートＰが排紙されたか否かを判断できるようにすれば、排紙ローラ８に記録シートＰが残った場合にのみ、上記の記録シート押し出しシーケンスを実施することが可能となり、無駄なシーケンスを行わずに済ませることができる。本実施形態における排紙サポート機構１４１は、後述する案内部材１４２を設けずに、不図示のモータ及びピニオン・ラック機構等により排紙サポート１２を直線運動及び回動運動させるように構成されている。
【００２２】
図６は本発明による記録装置の排紙サポート機構１２１の第２の実施形態を示す模式的縦断面図であり、図７は図６の排紙サポート機構の模式的斜視図である。図６及び図７において、排紙サポート１２のの押し出し部１４は排紙サポート１２の搬送方向（＋Ｃ方向）の最先端部の位置に形成されている。前述の第１の実施形態の場合は、記録後の記録シート押し出しシーケンスで、押し出し部１４が排紙サポート１２の最先端の位置ではなく、記録シートＰの後端部Ｐｂがサポート面１３上に残っているため、記録シートＰを排紙トレイ１１に落とすために排紙サポート１２を−Ｃ方向に引き込む際に素早く引き込む必要があり、素早く引き込まないと記録シートＰがサポート面１３上に残ってしまう可能性がある。
【００２３】
図６及び図７は、図４及び図５と同様、排紙サポート１２の押し出し部１４で記録シートＰをを排紙ローラ８から押し出しているときの状態を示す。図６及び図７において、排紙サポート１２には押し出し部１４より搬送方向前方に出っ張った部分がないので、押し出し部１４で記録シートＰの後端Ｐｂを押し出すだけで、該記録シートを排紙トレイ１１に落とすことができる。すなわち、本実施形態においては、排紙サポート１２の押し出し部１４を排紙サポート１２の搬送方向先端に設けるので、排紙する際に記録シート後端部Ｐｂを残すような形状が存在せず、記録シートＰを排紙トレイ１１に落とす際に排紙サポート１２を素早く引き戻す動作が不必要になる。そのため、前述の第１の実施形態に比べ、排紙サポート１２の駆動に起因する騒音発生を無くすことができ、安定して記録シートＰを排紙することが可能となる。また、本実施形態における排紙サポート機構１４１も、後述する案内部材１４２を設けずに、不図示のモータ及びピニオン・ラック機構等により排紙サポート１２を直線運動及び回動運動させるように構成されている。
【００２４】
図８は本発明による記録装置の排紙サポート機構１２１の第３の実施形態を示す模式的縦断面図であり、図９は図８の排紙サポート機構の模式的斜視図である。図８及び図９において、排紙サポート１２は案内部材１４２に対してカム手段等により回動可能に支持されており、案内部材１４２が前述のようなピニオン・ラック機構等により搬送方向（＋Ｃ方向及び−Ｃ方向）に直線運動可能に装着されている。案内部材１４２を＋Ｃ方向に移動させると、排紙サポート１２が案内部材１４２に対して持ち上げられ、記録シートＰは該排紙サポート１２により下から持ち上げられて垂れを抑制される。このような案内部材１４２及び排紙サポート１２は図９に示すように記録シートＰの幅方向の所定間隔の位置に設けられており、排紙サポート１２によって記録シートＰの両側端を持ち上げることによって該記録シートＰをＵ字状に撓ませ、それによって記録シートＰがへたって排紙ローラ８に着地することを防止又は抑制している。
【００２５】
本実施形態では、記録シートＰの後端Ｐｂを押し出すための押し出し部１４は案内部材１４２の先端部に形成されており、該押し出し部１４は排紙サポート１２より搬送方向前方（先端側）に位置している。そして、案内部材１４２が＋Ｃ方向に移動して排紙サポート１２が回動して持ち上がる際に、持ち上げられる排紙サポート１２が記録シートＰに接触する前に、案内部材１４２の先端の押し出し部１４が記録シートＰの後端部Ｐｂに接触するように構成されている。このような構成により、記録シートＰは、排紙時に排紙サポート１２に接触する前に、排紙トレイ１１に落とされていることになる。
【００２６】
逆に、案内部材１４２の先端の押し出し部１４より先に排紙サポート１２が記録シートＰに接触して該記録シートが持ち上げられると、押し出し部１４が記録シートＰに接触できなくなり、排紙動作において記録シートＰを排紙ローラ８から落とすという肝心のシーケンスが成り立たなくなる。なお、記録中の排紙サポート１２の機能（記録画像の擦れ対策）には問題はない。その理由は、記録シートＰは、排紙ローラ８近傍にきたときに排紙サポート１２により支持され、押し出し部１４より先に排紙サポート１２に接触するので、当該押し出し部１４と接触することはない。図８及び図９も、押し出し部１４によって記録シートＰを押し出しているときの状態を示す。
【００２７】
図８及び図９で説明したように、本実施形態では、突出退避方向に直線運動可能な案内部材１４２によって排紙サポート１２が回動可能に支持されており、案内部材１４２の搬送方向の動きの中で排紙サポート１２がカム手段等により回動させられて記録シートＰを持ち上げる機構を備えた記録装置において、案内部材１４２に形成される押し出し部１４が排紙サポート１２より搬送方向前方に位置しており、かつ、排紙シーケンス時には排紙サポート１２により記録シートＰが持ち上げられる前に案内部材１４２の押し出し部１４が記録シートＰに当接するように構成されている。このような排紙サポート機構により、記録シートＰを先に押し出すことができ、そのため、排紙サポート機構を備えた記録装置においても、記録シートＰを安定して排紙することが可能となる。
【００２８】
次に本発明による記録装置の排紙サポート機構１２１の第４の実施形態について説明する。記録シートＰが排紙ローラ８の上に残って排紙不良になる主な原因は、コート紙などの膨潤系の記録シートなどに見られるように、記録後の記録シートの膨潤による変形（コックリング、カール等）が生じ、排紙トレイへの収まりが悪いために記録シート同士が絡むと現象によるところが大きい。そして、このような原因によって排紙抵抗が大きくなると、排紙ローラ対８、９のニップより先の領域で記録シートＰを搬送できなくなる。逆に、膨潤による延びが小さい記録シートの場合は、コックリングによるカールが小さく、排紙特性は一般的に良好である。
【００２９】
一方、一部の特殊紙の中には、インクの水分の蒸発特性が悪く、記録後に重ねて載置されると色ムラが起きてしまうような記録シートがある。このような記録シートは、重ね載置を禁止して１枚積載指定となり、１枚記録する毎にユーザが排紙トレイから用紙を取り出すことになる。つまり、次の記録時にはユーザが前に記録シートを取り出していることが前提なので、次の記録シートとの干渉の可能性は少ない。いずれにしても、コックリングの小さい記録紙などのような排紙特性が良好な記録シート、あるいは一部の特殊紙においては、排紙サポートによる排紙制御は不要である。つまり、排紙サポートによる記録シートの押し出しシーケンスを記録シートＰの種類によって実行又は省略を使い分け、記録後の膨潤が小さく排紙抵抗の小さい記録シート、排紙積載１枚指定の記録シートなど、排紙の際に押し出しシーケンスが不要な記録シートに対しては、排紙サポート１２を用いる排紙動作のシーケンスを省くことにより、記録速度の低下や機械的音の発生を防ぐことができる。
【００３０】
また、以上の実施形態では、排紙サポート１２により記録シートＰを押し出す動作は、１枚の記録シートを記録する間の最後のシーケンスであり、排紙サポート１２により記録シートを押し出す動作は、該記録シートの後端を押す動作であるように構成したので、排紙ローラ８に記録シートＰの後端部が残されることなく、安定して記録シートを排紙することが可能となる。この場合、排紙ローラ８の近傍に記録シート検出スイッチを設け、記録シートが排紙されたか否かを判断可能とすれば、排紙ローラ８に記録シートＰが残った場合にのみ記録シート押し出しシーケンスを使うことが可能になり、無駄なシーケンスを行わずに済ませることが可能になる。また、本実施形態では、排紙サポート１２の一部形状変更や排紙動作のシーケンスの見直し等によってコストアップを生じるという不都合はない。さらに、排紙ローラ１２に溝を付ける必要もないので、溝を付けることに起因する搬送精度の低下もない。
【００３１】
また、記録シートＰを押し出す形状として、押し出し部１４を排紙サポート１２もしくは案内部材１４２の先端部に設けるようにすることで、排紙サポート８もしくは案内部材１４２上に記録シートＰが残留することがなくなり、一層安定した排紙動作を確保することができる。さらに、排紙サポート１２を排出方向へ移動可能な案内部材１４２に対して回動可能に支持し（取り付け）、案内部材１４２の動きの中で排紙サポート１２が記録シートＰを持ち上げるとともに、案内部材１４２に設けられた押し出し部１４によって記録シートＰを排出方向へ押し出すように構成したので、持ち上げ機能を有する排紙サポート１２より先に記録シートＰを押し出すことができるようになり、そのため、持ち上げ機能を有する排紙サポート１２を用いる記録装置においても、常に安定した排紙機能を維持することができる。
【００３２】
なお、本発明は、記録シートを記録ヘッドで主走査しながら記録するシリアルタイプの記録装置の他、記録シートの全幅又は一部をカバーする長さの記録ヘッドを用いて副走査のみで記録するラインタイプの記録装置など、記録の際の走査方式に関わらず広く適用可能なものであり、同様の作用効果を奏するものである。また、本発明は、インクを付着させて記録するインクジェット記録装置において特に有効であるが、熱転写式、レーザビーム照射式、ワイヤドット式などの他の記録方式の記録装置においても、同様に適用可能なものであり、同様の作用効果を奏するものである。
【００３３】
また、本発明は、インクジェット記録装置の場合、１個の記録ヘッドを用いる記録装置、異なる色のインクで記録する複数の記録ヘッドを用いるカラー記録装置、あるいは同一色彩で異なる濃度で記録する複数の記録ヘッドを用いる階調記録装置、さらには、これらを組み合わせた記録装置の場合にも、同様に適用することができ、同様の効果を達成し得るものである。さらに、本発明は、記録ヘッドとインクタンクを一体化した交換可能なインクカートリッジを用いる構成、記録手段とインクタンクを別体にし、その間をインク供給用チューブ等で接続する構成など、記録ヘッドとインクタンクの配置構成がどのような場合にも同様に適用することができ、同様の効果が得られるものである。
【図面の簡単な説明】
【００３４】
【図１】本発明を適用した記録装置の一例を示す模式的斜視図である。
【図２】図１の記録装置の中央部縦断面図である。
【図３】図２中の排紙サポート機構の具体的構造を示す模式的縦断面図である。
【図４】本発明による記録装置の排紙サポート機構の第１の実施形態を示す模式的縦断面図である。
【図５】図４の排紙サポート機構の模式的斜視図である。
【図６】本発明による記録装置の排紙サポート機構の第２の実施形態を示す模式的縦断面図である。
【図７】図６の排紙サポート機構の模式的斜視図である。
【図８】本発明による記録装置の排紙サポート機構の第３の実施形態を示す模式的縦断面図である。
【図９】図８の排紙サポート機構の模式的斜視図である。
【図１０】従来の記録装置の構成例を示す模式的縦断面図である。
【図１１】従来の記録装置の別の構成例を示す模式的縦断面図である。
【符号の説明】
【００３５】
４          ピンチローラ
５          搬送ローラ
６          プラテン
８          排紙ローラ（排出手段）
９          拍車（排出手段）
１１        排紙トレイ
１２        排紙サポート
１３        サポート面
１４        押し出し部
５２        記録ヘッド（記録手段）
５３        キャリッジ
５４        ガイドシャフト
１００      記録装置
１１０      給紙部
１１１      圧板
１１２      給紙ローラ
１２０      搬送部
１２１      伝達ローラ
１３０      記録部
１３１      ガイドレール
１４０      排出部
１４１      排紙サポート機構
１４２      案内部材
１５１      ラックギア（移動手段）
１５２      ピニオンギア（移動手段）
１５３      駆動軸（移動手段）
１５４      支軸
１５５      支持部
１５６      カム
１５７      カム当接部
Ｐ          記録シート
Ｐｂ        記録シートの後端部
【図１】
2006117353.tif 000003
【図２】
2006117353.tif 000004
【図３】
2006117353.tif 000005
【図４】
2006117353.tif 000006
【図５】
2006117353.tif 000007
【図６】
2006117353.tif 000008
【図７】
2006117353.tif 000009
【図８】
2006117353.tif 000010
【図９】
2006117353.tif 000011
【図１０】
2006117353.tif 000012
【図１１】
2006117353.tif 000013